(57)【要約】【課題】外シートの切断を容易に行うことができる米飯加工食品包装体を提供することを課題とする。【解決手段】包装材を用いて米飯加工食品が包装されてなり、該包装材は、米飯加工食品を包み込んだ際に最も外側に配置される外シートを備え、該外シートは、一方向に延びる切断予定線に沿って切断されることで前記一方向に直交する他方向に分割可能に構成されている米飯加工食品包装体であって、前記包装材は、米飯加工食品が間に介在した状態で対向するように配置される一対の対向部と、一方の対向部側から他方の対向部側へ折り返されて他方の対向部と重なるように配置される折返部とを備えており、切断予定線の近傍には、他方の対向部と折返部とが接合された接合部を複数備えると共に、隣り合う接合部の間には、他方の対向部と折返部とが接合されていない非接合部が形成されており、非接合部の少なくとも一部は、前記一方向において接合部と重なり合わないように構成される。【選択図】図４
2019006478.tif 000002
【特許請求の範囲】
【請求項１】
包装材を用いて米飯加工食品が包装されてなり、該包装材は、米飯加工食品を包み込んだ際に最も外側に配置される外シートを備え、該外シートは、一方向に延びる切断予定線に沿って切断されることで前記一方向に直交する他方向に分割可能に構成されている米飯加工食品包装体であって、
前記包装材は、米飯加工食品が間に介在した状態で対向するように配置される一対の対向部と、一方の対向部側から他方の対向部側へ折り返されて他方の対向部と重なるように配置される折返部とを備えており、
切断予定線の近傍には、他方の対向部と折返部とが接合された接合部を複数備えると共に、隣り合う接合部の間には、他方の対向部と折返部とが接合されていない非接合部が形成されており、
非接合部の少なくとも一部は、前記一方向において接合部と重なり合わないように構成される米飯加工食品包装体。
【請求項２】
前記切断予定線の近傍に仮定される多角形の各頂点部分に前記接合部が形成される請求項１に記載の米飯加工食品包装体。
【請求項３】
前記接合部は、前記他方向に間隔を空けて複数形成される請求項１に記載の米飯加工食品包装体。
【請求項４】
前記外シートは、前記一方向の一端側から他端側へ向かって切断されるように構成されており、
前記接合部は、外シートの切断方向の上流側に位置する端部が該上流側へ向かって先細りになるように形成される請求項１乃至３の何れか一項に記載の米飯加工食品包装体。
【請求項５】
前記外シートは、米飯加工食品を包み込み可能な外シート本体と、前記一方向に延びるように配置されると共に外シート本体に貼り付けられるカットテープとを備え、該カットテープに沿って切断されることで、前記他方向に分割可能に構成されており、
前記接合部及び非接合部は、カットテープから前記他方向に沿って１ｍｍ以上離れ１０ｍｍ以内の領域に形成される請求項１乃至４の何れか一項に記載の米飯加工食品包装体。
【発明の詳細な説明】
【技術分野】
【０００１】
本発明は、包装材を用いて米飯加工食品が包装されてなる米飯加工食品包装体に関する。
【背景技術】
【０００２】
お握り等の米飯加工食品は、該米飯加工食品を包み込むことが可能なサイズの外シートを備える包装材を用いて包装された状態で、店頭販売等がなされている。
【０００３】
前記包装材としては、前記外シートと該外シートに貼り付けられるカットテープとを備えるものが知られている。該カットテープは、一方向に延びるように配置されており、前記外シートにおける前記一方向の一端側から他端側に向かってカットテープに沿って外シートが切断されることで、前記一方向に直交する他方向に外シートが分割されるように構成されている。
【０００４】
また、上記のような包装材は、米飯加工食品を包装した際に（即ち、米飯加工食品包装体が形成された状態で）、米飯加工食品を間に介在させて対向するように配置される一対の対向部と、一方の対向部側から他方の対向部側へ折り返されて他方の対向部と重なるように配置される折返部とを備える。そして、カットテープの近傍の所定の領域（例えば、円形状の領域）において、該領域の全域に亘って他方の対向部と折返部とが接合される。これにより、包装材によって米飯加工食品が包装された状態が保持される（特許文献１参照）。その後、前記他方の対向部と折返部と跨ぐように商品情報等が印字されたラベルを貼り付けることで、包装材で米飯加工食品が包装された状態が確実に保持される。
【先行技術文献】
【特許文献】
【０００５】
【特許文献１】特開２０１０−２１５２９２号公報
【発明の概要】
【発明が解決しようとする課題】
【０００６】
ここで、上記のように、カットテープの近傍の所定領域（以下、接合可能領域とも記す）の全域に亘って他方の対向部と折返部とが接合されると、接合可能領域の全体が他方の対向領域と折返部とが接合されてなる接合部になる。このため、カットテープに沿って外シートを切断する際の切断位置が接合可能領域と重なった際に、接合部が外シートの切断の妨げとなって米飯加工食品包装体の開封を容易に行うことができなくなる。
【０００７】
そこで、本発明は、外シートを備える包装材を用いて米飯加工食品が包装されてなる米飯加工食品包装体であって、外シートの切断を容易に行うことができる米飯加工食品包装体を提供することを課題とする。
【課題を解決するための手段】
【０００８】
本発明に係る米飯加工食品包装体は、包装材を用いて米飯加工食品が包装されてなり、該包装材は、米飯加工食品を包み込んだ際に最も外側に配置される外シートを備え、該外シートは、一方向に延びる切断予定線に沿って切断されることで前記一方向に直交する他方向に分割可能に構成されている米飯加工食品包装体であって、前記包装材は、米飯加工食品が間に介在した状態で対向するように配置される一対の対向部と、一方の対向部側から他方の対向部側へ折り返されて他方の対向部と重なるように配置される折返部とを備えており、切断予定線の近傍には、他方の対向部と折返部とが接合された接合部を複数備えると共に、隣り合う接合部の間には、他方の対向部と折返部とが接合されていない非接合部が形成されており、非接合部の少なくとも一部は、前記一方向において接合部と重なり合わないように構成される。
【０００９】
斯かる構成によれば、他方の対向部と折返部とが接合された接合部を複数備えることで、折返部が他方の対向部に接合されるため、米飯加工食品が包装材によって包装された状態を維持することができる。
【００１０】
また、切断予定線の近傍に接合部を複数備えることで、複数の接合部を含む領域で外シートが切断される虞がある。しかしながら、隣り合う接合部の間に非接合部が形成されることで、外シートの切断が接合部によって妨害されるのを抑制することができる。具体的には、非接合部の少なくとも一部は、前記一方向において接合部と重なり合わないように構成されるため、複数の接合部を含む領域で外シートの切断が生じても、接合部を避けた位置（即ち、非接合部を含む部分）で外シートを前記一方向に切断することが可能になる。これにより、外シートの切断が接合部によって妨害されるのを抑制することができ、外シートの切断を容易に行うことができる。
【００１１】
前記切断予定線の近傍に仮定される多角形の各頂点部分に前記接合部が形成されてもよい。
【００１２】
斯かる構成によれば、切断予定線の近傍に仮定される多角形の各頂点部分に接合部が形成されることで、他方の対向部と折返部との接合を強固に行うことができる。また、隣り合う接合部の間、及び、多角形の内側に非接合部が形成されることになるため、接合部を避けた切断経路が複数形成されることになる。このため、外シートの切断が接合部によって妨害されるのをより効果的に抑制することができる。
【００１３】
前記接合部は、前記他方向に間隔を空けて複数形成されてもよい。
【００１４】
斯かる構成によれば、接合部が前記他方向に間隔を空けて複数形成されることで、隣り合う接合部の間に形成される非接合部が前記一方向において接合部と重なり合わないため、外シートの切断が接合部によって妨害されるのをより効果的に抑制することができる。
【００１５】
前記外シートは、前記一方向の一端側から他端側へ向かって切断されるように構成されており、前記接合部は、外シートの切断方向の上流側に位置する端部が該上流側へ向かって先細りになるように形成されてもよい。
【００１６】
斯かる構成によれば、接合部は、外シートの切断方向の上流側に位置する端部（以下、上流側端部）が該上流側へ向かって先細りになるように形成されるため、外シートの切断位置が該上流側端部に達した際に、上流側端部の先細りの形状によって外シートの切断方向を接合部に隣接する非接合部に誘導することができる。このため、外シートの切断が接合部によって妨害されるのをより効果的に抑制することができる。
【００１７】
前記外シートは、米飯加工食品を包み込み可能な外シート本体と、前記一方向に延びるように配置されると共に外シート本体に貼り付けられるカットテープとを備え、該カットテープに沿って切断されることで、前記他方向に分割可能に構成されており、
前記接合部及び非接合部は、カットテープから前記他方向に沿って１ｍｍ以上離れ１０ｍｍ以内の領域に形成されてもよい。
【００１８】
斯かる構成によれば、カットテープから前記他方向に沿って１ｍｍ以上離れ１０ｍｍ以内の領域は、外シートを切断する際の切断位置と重なる虞があるが、隣り合う接合部の間に非接合部が形成されることで、外シートの切断が接合部によって妨害されるのを抑制することができる。
【発明の効果】
【００１９】
以上のように、本発明によれば、外シートの切断を容易に行うことができる。
【図面の簡単な説明】
【００２０】
【図１】本発明の第一実施形態に係る米飯加工食品包装体の構成を示した斜視図。
【図２】同実施形態に係る米飯加工食品包装体で用いる包装材の平面図。
【図３】同実施形態に係る米飯加工食品包装体で用いる包装材で米飯加工食品を挟み込んだ状態を示す斜視図。
【図４】図３のＩ−Ｉ断面図。
【図５】同実施形態に係る米飯加工食品包装体で用いる包装材で米飯加工食品を包装した状態（米飯加工食品包装体が形成された状態）を示した図。
【図６】他の実施形態に係る米飯加工食品包装体で用いる包装材で米飯加工食品を包装した状態（米飯加工食品包装体が形成された状態）を示した図。
【発明を実施するための形態】
【００２１】
以下に、本発明に係る米飯加工食品包装体の実施形態について、図１〜５に基づいて説明する。
【００２２】
本実施形態に係る米飯加工食品包装体１０は、図１に示すように、包装材１を用いて米飯加工食品Ｘ１（例えば、おにぎり等）が包み込まれてなるものである。
【００２３】
包装材１は、米飯加工食品Ｘ１と接する内シート２と、米飯加工食品Ｘ１を包み込んだ際に最も外側に配置される外シート３とを備える。内シート２及び外シート３は、米飯加工食品Ｘ１を包み込み可能な大きさに形成される。本実施形態では、内シート２及び外シート３は、略同一の形状（具体的には、一方向が長手となる長方形状）に形成される。
【００２４】
内シート２は、一方向（以下、第一方向とも記す）に直交する他方向（以下、第二方向とも記す）に分割可能に構成される。具体的には、内シート２は、一対の内シート片２ａ，２ａから構成される。一対の内シート片２ａ，２ａは、第二方向に並列して配置されると共に、第二方向における内シート２の略中央部において端部同士が重なるように配置される。つまり、内シート２は、一対の内シート片２ａ，２ａの端部同士が重なり合った領域を第二方向における略中央部に第一方向に沿って備える。そして、一対の内シート片２ａ，２ａが第二方向に分離可能であることで、内シート２が第二方向に分割可能になっている。
【００２５】
外シート３は、米飯加工食品Ｘ１を包み込み可能な大きさの外シート本体３ａと、第一方向に延びるように配置される一対のカットテープ３ｂ，３ｂとを備える。一対のカットテープ３ｂ，３ｂは、第二方向における外シート本体３ａの略中央部において第二方向に間隔を空けて配置される。また、外シート３（具体的には、外シート本体３ａ）は、第一方向の一端部に、第二方向に間隔を空けて形成された一対の切り込み３ｃ，３ｃを備える。そして、該一対の切り込み３ｃ，３ｃの間には、一対のカットテープ３ｂ，３ｂの端部が位置する。これにより、一対の切り込み３ｃ，３ｃの間に指などで摘むことが可能な摘み部３ｄが形成される。
【００２６】
そして、外シート３は、第一方向に延びる切断予定線ＣＬに沿って切断されることで第二方向に分割可能に構成される。本実施形態では、第一方向における外シート３の一端側から他端側へ向かって摘み部３ｄを引っ張ることで、一対の切り込み３ｃ，３ｃの端部を起点とする一対の切断予定線ＣＬ，ＣＬ上で、外シート３が他端側へ向かって切断される。これによって、外シート３が第二方向に分割される。より詳しくは、外シート３は、一対のカットテープ３ｂに沿って延びる一対の切断予定線ＣＬ，ＣＬ上で切断されて一対の切断予定線ＣＬ，ＣＬ間の領域が他の領域から分離されることで、第二方向に分割される。なお、切断予定線ＣＬは、外シート３の切断位置として仮定される仮想線である。
【００２７】
上記のように構成される内シート２及び外シート３は、米飯加工食品Ｘ１に巻く海苔等のシート状食品Ｘ２を間に介在させた状態で重ね合されると共に、シート状食品Ｘ２を囲むように端部同士が（断続的に）シールされる。これによって、図２に示すように、外周部にシール部Ｓを備える包装材１が形成される。
【００２８】
上記のように構成される包装材１を用いて米飯加工食品Ｘ１（例えば、一対の三角形状の対向面を備えるおにぎり）を包装する際には、図３に示すように、包装材１の内シート２側に米飯加工食品Ｘ１を配置して、米飯加工食品Ｘ１を包むように包装材１を二つ折りにする。これにより、包装材１には、図４に示すように、米飯加工食品Ｘ１を間に介在させた状態で対向するように配置される一対の対向部１ａ，１ｂが形成される。そして、一方の対向部１ａ側から他方の対向部１ｂ側へ向かって、包装材１における米飯加工食品Ｘ１と対峙しない領域を米飯加工食品Ｘ１の形状に沿って折り返すと共に、折り返した部分を他方の対向部１ｂに重ね合わせる。これにより、図５に示すように、他方の対向部１ｂと重なるように配置される一対の折返部１ｃ，１ｃが形成される。
【００２９】
そして、各切断予定線ＣＬの近傍において、他方の対向部１ｂと各折返部１ｃとを接合することで、接合部１０ａを形成する。該接合部１０ａは、第二方向に間隔を空けて複数形成される。また、複数の接合部１０ａは、各切断予定線ＣＬの近傍に仮定される多角形の各頂点部分に形成される。本実施形態では、各切断予定線ＣＬの近傍に仮定される三角形の各頂点部に接合部１０ａが形成される。また、各接合部１０ａは、円形状に形成される。また、各接合部１０ａの面積としては、特に限定されるものではなく、例えば、０．７ｍｍ２以上８０ｍｍ２以下であることが好ましい。また、各接合部１０ａが円形状である場合、各接合部１０ａの半径は、０．５ｍｍ以上５ｍｍ以下であることが好ましい。
【００３０】
また、隣り合う接合部１０ａ，１０ａの間には、他方の対向部１ｂと折返部１ｃとが接合されていない非接合部１０ｂが形成される。そして、非接合部１０ｂの少なくとも一部は、第一方向において各接合部１０ａと重なり合わないように形成される。
【００３１】
また、接合部１０ａ及び非接合部１０ｂは、切断予定線ＣＬの近傍の所定の領域（以下、接合領域とも記す）内に形成される。具体的には、接合部１０ａ及び非接合部１０ｂは、カットテープ３ｂから第二方向に沿って１ｍｍ以上離れ１０ｍｍ以内の領域に形成される。換言すれば、接合部１０ａ及び非接合部１０ｂは、カットテープ３ｂから第二方向に沿った距離Ｌ１が１０ｍｍとなる位置と、カットテープ３ｂから第二方向に沿った距離Ｌ２が１ｍｍとなる位置との間の領域に形成される。
【００３２】
上記のように、接合部１０ａが形成されることで、包装材１によって米飯加工食品Ｘ１が包装された状態が保持される。これにより、包装材１で米飯加工食品Ｘ１が包装された米飯加工食品包装体１０が形成される。そして、他方の対向部１ｂと一対の折返部１ｃ，１ｃと跨ぐように商品情報等が印字されたラベルを貼り付けることで、包装材１で米飯加工食品Ｘ１が包装された状態が確実に保持される。
【００３３】
上記のような米飯加工食品包装体１０から米飯加工食品Ｘ１を取り出す際には、一対の切断予定線ＣＬ，ＣＬ（具体的には、一対のカットテープ３ｂ，３ｂ）に沿って摘み部３ｄを一方の対向部１ａ側から他方の対向部１ｂ側へ向かって引っ張ることで、外シート３が一対の切断予定線ＣＬ，ＣＬ上で切断されて、一対の切断予定線ＣＬ，ＣＬ間の領域が他の領域から切除される。これにより、外シート３は、第二方向に分割される。
【００３４】
そして、外シート３の分割された領域同士を離間させるように引っ張って、包装材１を取り除くことで、シート状食品Ｘ２が内シート２と外シート３との間から取り出され、米飯加工食品Ｘ１とシート状食品Ｘ２とが一体となって取り出される。
【００３５】
以上のように、本発明に係る米飯加工食品包装体によれば、外シートの切断を容易に行うことができる。
【００３６】
即ち、他方の対向部１ｂと折返部１ｃとが接合された接合部１０ａを複数備えることで、折返部１ｃが他方の対向部１ｂに接合されるため、米飯加工食品Ｘ１が包装材１によって包装された状態を維持することができる。
【００３７】
また、切断予定線ＣＬの近傍に接合部１０ａを複数備えることで、複数の接合部１０ａを含む領域で外シート３が切断される虞がある。しかしながら、隣り合う接合部１０ａの間に非接合部１０ｂが形成されることで、外シート３の切断が接合部１０ａによって妨害されるのを抑制することができる。具体的には、非接合部１０ｂの少なくとも一部は、第一方向において接合部１０ａと重なり合わないように構成されるため、複数の接合部１０ａを含む領域で外シート３の切断が生じても、接合部１０ａを避けた位置（即ち、非接合部１０ｂを含む部分）で外シート３を第一方向に切断することが可能になる。これにより、外シート３の切断が接合部１０ａによって妨害されるのを抑制することができ、外シート３の切断を容易に行うことができる。
【００３８】
また、切断予定線ＣＬの近傍に仮定される多角形の各頂点部分に接合部１０ａが形成されることで、他方の対向部１ｂと折返部１ｃとの接合を強固に行うことができる。また、隣り合う接合部１０ａの間、及び、多角形の内側に非接合部１０ｂが形成されることになるため、接合部１０ａを避けた切断経路が複数形成されることになる。このため、外シート３の切断が接合部１０ａによって妨害されるのをより効果的に抑制することができる。
【００３９】
また、接合部１０ａが第二方向に間隔を空けて複数形成されることで、隣り合う接合部１０ａの間に形成される非接合部１０ｂが第一方向において接合部１０ａと重なり合わないため、外シート３の切断が接合部１０ａによって妨害されるのをより効果的に抑制することができる。
【００４０】
また、カットテープ３ｂから第二方向に沿って１ｍｍ以上離れ１０ｍｍ以内の領域は、外シート３を切断する際の切断位置と重なる虞があるが、隣り合う接合部１０ａの間に非接合部１０ｂが形成されることで、外シート３の切断が接合部１０ａによって妨害されるのを抑制することができる。
【００４１】
なお、本発明に係る米飯加工食品包装体は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００４２】
例えば、上記実施形態では、接合部１０ａは、切断予定線ＣＬ（具体的には、カットテープ３ｂ）の近傍に仮定される三角形の各頂点部に形成されているが、これに限定されるものではなく、例えば、他の多角形（具体的には、四角形や六角形等）の頂点部に形成されてよく、図５に示すように、第二方向に並列するように複数形成されてもよい。
【００４３】
また、上記実施形態では、接合部１０ａは、円形状に形成されているが、これに限定されるものではなく、例えば、図５に示すように、外シート３を切断する際の切断方向の上流側）に位置する端部が外シート３を切断する際の切断方向の上流側へ向かって先細りになるように形成されてもよい。
【００４４】
斯かる構成によれば、接合部１０ａは、外シート３の切断方向の上流側に位置する端部（以下、上流側端部）が外シート３の切断方向の上流側へ向かって先細りになるように形成されるため、外シート３の切断位置が該上流側端部に達した際に、上流側端部の先細りの形状によって外シート３の切断方向を接合部１０ａに隣接する非接合部１０ｂに誘導することができる。このため、接合部１０ａが外シート３の切断の妨げになるのをより効果的に抑制することができる。
【００４５】
また、上記各実施形態では、一対の切断予定線ＣＬ，ＣＬ上で外シート３が切断されるように構成されているが、これに限定されるものではなく、例えば、一つの切断予定線ＣＬ上で外シート３が切断されるように構成されてもよい。具体的には、外シート３が切り込み３ｃを一つのみ備える場合、該切り込み３ｃの端部を起点に外シート３引き裂くようにして外シート３を切断することで、外シート３が第二方向に分割される。
【００４６】
また、上記実施形態では、外シート３は、一対のカットテープ３ｂ，３ｂを備えているが、これに限定されるものではなく、例えば、比較的幅の広いカットテープ３ｂを一つのみ備え、該一つのカットテープ３ｂの両側で、一対の切断予定線ＣＬ，ＣＬに沿って切断されるように構成されてもよい。
【００４７】
また、上記実施形態では、外シート３は、一対のカットテープ３ｂ，３ｂを備えているが、これに限定されるものではなく、例えば、外シート３がカットテープ３ｂを備えない（即ち、外シート本体３ａのみから外シート３が構成される）ものであってよい。斯かる場合には、外シート本体３ａは、切断方向性を有するフィルム（例えば、一軸延伸フィルム等）を用いて形成されることが好ましい。
【００４８】
また、上記実施形態では、外シート３は、第一方向の一端部に形成された一対の切り込み３ｃ，３ｃの各端部を起点に第一方向の他端部へ向かって切断が開始されるように構成されているが、これに限定されるものではなく、例えば、第一方向の一端部から離れた位置から切断が開始されるように構成されてもよい。
【００４９】
また、上記各実施形態では、包装材１によって包装される米飯加工食品として、三角形状の米飯加工食品Ｘ１が用いられているが、これに限定されるものではなく、他の形状（円筒状など）の米飯加工食品を用いることができる。
【００５０】
また、上記実施形態では、包装材１は、内シート２を備えるように構成されているが、これに限定されるものではなく、例えば、内シート２を備えずに構成されてもよい（即ち、外シート３のみから構成されてもよい）。
【符号の説明】
【００５１】
１…包装材、１ａ，１ｂ…対向部、２…内シート、２ａ…内シート片、３…外シート、３ａ…外シート本体、３ｂ…カットテープ、３ｃ…切り込み、３ｄ…摘み部、１０…米飯加工食品包装体、１０ａ…接合部、１０ｂ…非接合部、ＣＬ…切断予定線、Ｓ…シール部、Ｘ１…米飯加工食品、Ｘ２…シート状食品
【図１】
2019006478.tif 000003
【図２】
2019006478.tif 000004
【図３】
2019006478.tif 000005
【図４】
2019006478.tif 000006
【図５】
2019006478.tif 000007
【図６】
2019006478.tif 000008